(57)【要約】【課題】別途収納ケース等を用いることなく、単位収納庫の内部に小物を適切に保管することができ、書類等を出し入れする際に小物が邪魔になったり、庫外に落下したりすることを防ぐことのできる、多段式収納家具を提供する。【解決手段】ロッカー１において、一つの筐体の内部を少なくとも底板１５で上下に仕切って複数の収納空間Ｓを設け、それぞれの収納空間Ｓの前面開口部を開き扉３で開閉する構造の単位収納庫２を複数設け、底板１５における開口部側には、底板１５よりも下方に膨出するペントレイ２２が形成される。【選択図】図２
2020081731.tif 000002
【特許請求の範囲】
【請求項１】
一つの筐体の内部を少なくとも底板で上下に仕切って複数の収納空間を設け、それぞれの収納空間の前面開口部を扉で開閉する構造の単位収納庫を複数設けた多段式収納家具において、
前記底板における前記開口部側には、前記底板よりも下方に膨出するトレイが形成される、多段式収納家具。
【請求項２】
一つの筐体の内部を少なくとも底板で上下に仕切って複数の収納空間を設け、それぞれの収納空間の前面開口部を扉で開閉する構造の単位収納庫を複数設けた多段式収納家具において、
前記底板における前記開口部側には、前記単位収納庫における前記収納空間と、前記単位収納庫の下方に位置する空間と、を連通する孔部が開口され、
前記孔部にはトレイが挿入される、多段式収納家具。
【請求項３】
前記トレイが非対称形状に形成され、
前記トレイは、前記孔部に対して所定の姿勢でのみ挿入可能とされる、請求項２に記載の多段式収納家具。
【請求項４】
前記トレイは前記底板に対して着脱不能に設けられる、請求項２又は請求項３に記載の多段式収納家具。
【請求項５】
前記トレイの底面は、前記単位収納庫の下方に位置する空間の内部に膨出され、
前記トレイの高さは、前記底板又は前記底板の前方に設けられる前框における前記開口部側の端面の上下幅よりも小さく形成される、請求項１から請求項４の何れか１項に記載の多段式収納家具。
【請求項６】
前記単位収納庫の内部には棚部材が収容され、前記トレイは前記棚部材よりも前記開口部の側に設けられる、請求項１から請求項５の何れか１項に記載の多段式収納家具。
【請求項７】
前記扉における前記収納空間側の面には扉トレイが設けられ、
前記扉を閉塞した際には、前記扉トレイの一部は前記トレイの上方の空間に配置される、請求項１から請求項６の何れか１項に記載の多段式収納家具。
【発明の詳細な説明】
【技術分野】
【０００１】
本発明は多段式収納家具に関し、詳細には多段式収納家具の使いやすさを向上させる技術に関するものである。
【背景技術】
【０００２】
従来、一つの筐体の内部を板材で上下に仕切って複数の収納空間を設け、それぞれの収納空間の前側開口部を開き扉で開閉する構造の単位収納庫を複数設けた多段式収納家具が知られている（例えば、特許文献１及び特許文献２を参照）。
【先行技術文献】
【特許文献】
【０００３】
【特許文献１】特開２００２−２９００８３号公報
【特許文献２】特開２００２−２１９０２７号公報
【発明の概要】
【発明が解決しようとする課題】
【０００４】
上記の特許文献に記載の多段式収納家具において、筆記用具や名刺等の小物を収納するためには、底板の上面等、単位収納庫の内部に別途収納ケース等を載置する必要があった。しかし、単位収納庫に収納ケースを載置した場合、書類等を出し入れする際に収納ケースが邪魔になったり、収納ケースが庫外に落下したりする問題が生じていた。
【０００５】
本発明は以上の如き状況に鑑みてなされたものであり、本発明が解決しようとする課題は、別途収納ケース等を用いることなく、単位収納庫の内部に小物を適切に保管することができ、書類等を出し入れする際に小物が邪魔になったり、庫外に落下したりすることを防ぐことのできる、多段式収納家具を提供することである。
【課題を解決するための手段】
【０００６】
本発明は、上記課題を解決するために、以下に構成する多段式収納家具を提供する。
【０００７】
（１）一つの筐体の内部を少なくとも底板で上下に仕切って複数の収納空間を設け、それぞれの収納空間の前面開口部を扉で開閉する構造の単位収納庫を複数設けた多段式収納家具において、前記底板における前記開口部側には、前記底板よりも下方に膨出するトレイが形成される、多段式収納家具。
【０００８】
（２）一つの筐体の内部を少なくとも底板で上下に仕切って複数の収納空間を設け、それぞれの収納空間の前面開口部を扉で開閉する構造の単位収納庫を複数設けた多段式収納家具において、前記底板における前記開口部側には、前記単位収納庫における前記収納空間と、前記単位収納庫の下方に位置する空間と、を連通する孔部が開口され、
前記孔部にはトレイが挿入される、多段式収納家具。
【０００９】
（３）前記トレイが非対称形状に形成され、前記トレイは、前記孔部に対して所定の姿勢でのみ挿入可能とされる、（２）に記載の多段式収納家具。
【００１０】
（４）前記トレイは前記底板に対して着脱不能に設けられる、（２）又は（３）に記載の多段式収納家具。
【００１１】
（５）前記トレイの底面は、前記単位収納庫の下方に位置する空間の内部に膨出され、前記トレイの高さは、前記底板又は前記底板の前方に設けられる前框における前記開口部側の端面の上下幅よりも小さく形成される、（１）から（４）の何れか一に記載の多段式収納家具。
【００１２】
（６）前記単位収納庫の内部には棚部材が収容され、前記トレイは前記棚部材よりも前記開口部の側に設けられる、（１）から（５）の何れか一に記載の多段式収納家具。
【００１３】
（７）前記扉における前記収納空間側の面には扉トレイが設けられ、前記扉を閉塞した際には、前記扉トレイの一部は前記トレイの上方の空間に配置される、（１）から（６）の何れか一に記載の多段式収納家具。
【発明の効果】
【００１４】
以上における本発明に係る多段式収納家具は、以下に示す効果を奏する。
【００１５】
（１）の構成によれば、別途収納ケース等を用いることなく、単位収納庫の内部に小物を適切に保管することができ、書類等を出し入れする際に小物が邪魔になったり、庫外に落下したりすることを防ぐことが可能となる。
【００１６】
（２）の構成によれば、別途収納ケース等を用いることなく、単位収納庫の内部に小物を適切に保管することができ、書類等を出し入れする際に小物が邪魔になったり、庫外に落下したりすることを防ぐことが可能となるとともに、底板とトレイとを別々に製造できるため、トレイの種類や形状を変更することが可能となる。
【００１７】
（３）の構成によれば、トレイの姿勢を間違えて固定することを防止できる。
【００１８】
（４）の構成によれば、単位収納庫の機密性を高めることができる。
【００１９】
（５）の構成によれば、単位収納庫の下方の空間をトレイによって有効に活用することが可能となる。
【００２０】
（６）の構成によれば、トレイの上方の空間に棚部材が配置されないため、トレイの使用方法の自由度を高めることが可能となる。
【００２１】
（７）の構成によれば、トレイの上方の空間を有効に活用することが可能となる。
【図面の簡単な説明】
【００２２】
【図１】本発明の一実施形態に係る多段式収納家具を示す斜視図。
【図２】単位収納庫の内部構造を示す分解図。
【図３】単位収納庫の内部構造を示す平面図。
【図４】単位収納庫の内部構造を示す内側面図。
【図５】トレイの組付構造を示す斜視図。
【図６】トレイの組付構造を示す平面図。
【図７】（ａ）及び（ｂ）はそれぞれトレイの組付構造を示す断面図。
【発明を実施するための形態】
【００２３】
図１から図７を用いて、本発明に係る多段式収納家具の一実施形態であるロッカー１について説明する。以下では、ロッカー１に対向する使用者の視点によりロッカー１の左右方向を規定する。即ち、ロッカー１に対向する使用者の右側（図１における右上側）をロッカー１における右側方とする。また、ロッカー１における使用者側（図１における右下側）をロッカー１の前方とする。
【００２４】
本実施形態に係るロッカー１は、単位収納庫２を複数備えたパーソナルロッカーとして構成されている。即ち、ロッカー１は、例えばオフィス内でロッカー１を使用する複数の使用者ごとに、書類、書籍、及び、携帯電話やモバイルコンピュータ等（以下、「電子機器類」と記載する）などを内部に収容して保管するために用いられる。
【００２５】
図１から図７に示す如く、ロッカー１は、天板１１、ベース部材１２、側板１３、及び背板１４で形成される一つの筐体の内部を板材で仕切ることにより、複数の収納空間Ｓが形成される。ロッカー１には、それぞれの収納空間Ｓの前側開口部を開き扉３で開閉する構造の単位収納庫２が複数個設けられる。
【００２６】
本実施形態に係るロッカー１においては、側板１３の一形態である内側板１３ｉで筐体を左右方向に仕切ることにより、単位収納庫２が左右方向に二個隣接して配置される。また、ロッカー１は筐体を底板１５で上下方向に仕切ることにより、単位収納庫２が上下方向に三段に重ねて配置される。即ち、ロッカー１には図１に示す如く合計六個の単位収納庫２が形成される。それぞれの単位収納庫２の構成は配置箇所を除いて同様に構成される。以下では、図１及び図２に示す如く、左上に配置される単位収納庫２の構成を中心に説明する。
【００２７】
なお、本発明に係る収納家具は、一つの筐体の内部を少なくとも底板１５で上下に仕切って複数の収納空間を設ける構成であれば良く、単位収納庫を上下方向に一列に並べて構成しても差し支えない。また、ロッカー１における単位収納庫２の個数は本実施形態に限定されるものではなく、左右方向に三個以上で並べたり、上下方向に四段以上で重ねたりしても差し支えない。
【００２８】
本実施形態に係るロッカー１において、筐体を構成する部材（天板１１、ベース部材１２、側板１３、及び、背板１４）、開き扉３、筐体の内部を仕切る内側板１３ｉ、底板１５等の板材は、スチール製の板金を適宜折り曲げることにより構成されている。なお、後述する他の部材である棚部材２１、ペントレイ２２、扉トレイ２３等は樹脂製部材で構成される。
【００２９】
開き扉３は、開き扉３の吊元側に設けられる上下二個のヒンジ４を介して筐体に組付けられる。詳細には図２に示す如く、ヒンジ４は開き扉３に固定されるヒンジ本体４ａと、筐体に固定される固定板４ｂとで構成される。底板１５の前方には前框１６が設けられ、天板１１及び前框１６のそれぞれの前面に固定板４ｂが固定される。そして、二個のヒンジ本体４ａが二枚の固定板４ｂに対してそれぞれ回動可能に連結されることにより、単位収納庫２において開き扉３が開閉可能に組付けられる。
【００３０】
本実施形態に係るロッカー１において、それぞれの単位収納庫２には開き扉３が同じ方向に開くように設けられる。具体的には図１に示すごとく、全ての開き扉３は右側に設けられた吊元がヒンジ４により筐体に連結されている。即ち、ロッカー１は、使用者が開き扉３を上面視で反時計回りに回動させることにより単位収納庫２が開き、開き扉３を上面視で時計回りに回動させることにより単位収納庫２が閉じるように構成されている。
【００３１】
開き扉３の戸先側端部における上下方向中央部には、ダイヤル式のロック部材５が設けられる。本実施形態に係るロッカー１において、ロック部材５にはダイヤル錠が採用されているが、ロック部材としてシリンダ錠、プッシュボタン錠、又は、ＩＣカード錠を採用することも可能である。ロック部材５にはラッチ６が設けられる。開き扉３が単位収納庫２を閉塞する際には、ラッチ６は側板１３の前側端部に固定されたラッチ受部材７と係合する。
【００３２】
開き扉３の上部には、左右に長手方向を有する長孔である貫通溝３ａが開き扉３を貫通して開口されている。単位収納庫２において開き扉３が閉塞されている際には、この貫通溝３ａを介して郵便物や書類等を収納空間Ｓの内部に投入することができる。貫通溝３ａから投入された郵便物等は、開き扉３の後面（収納空間Ｓ側の面）に設けられた扉トレイ２３の内側に落下する。単位収納庫２の使用者は、開き扉３を開いてから扉トレイ２３の内部にある郵便物等を取り出すことができる。
【００３３】
図１、図３、及び、図４に示す如く、単位収納庫２における収納空間Ｓの内部後方には棚部材２１が収容される（図２では棚部材２１の図示を省略している）。本実施形態における棚部材２１は、棚板部２１ａと、棚板部２１ａの左右両側に連結される二枚の脚部２１ｂと、に分割可能に構成されている。詳細には、脚部２１ｂの下端部は、底板１５における左右両端部にそれぞれ二個ずつ開口された係合孔１５ｂと係合する。また、脚部２１ｂの上端部は棚板部２１ａに連結される。これにより、棚部材２１は単位収納庫２の内部で固定される。
【００３４】
なお、本実施形態においては、単位収納庫２に一個の棚部材２１が収容される構成としたが、単位収納庫２に棚部材２１を設けない構成や、単位収納庫２の内部に複数の棚部材２１を積み重ねて配置する構成とすることも可能である。
【００３５】
図１から図４に示す如く、本実施形態に係るロッカー１において、単位収納庫２の内側板１３ｉ（側板１３）における開き扉３の吊元近傍に、単位収納庫２の内側に面する、電源供給用の接続ユニット３０が設けられている。本実施形態において、全ての開き扉３は右側の吊元がヒンジ４により筐体に連結されているため、接続ユニット３０は単位収納庫２において右側に位置する内側板１３ｉ又は側板１３に設けられる。より詳細には、左側に位置する単位収納庫２では、接続ユニット３０は内側板１３ｉに設けられる。一方、右側に位置する単位収納庫２では、接続ユニット３０は右側の側板１３に設けられる（図３を参照）。
【００３６】
なお、開き扉３の吊元と接続ユニット３０との両方を、単位収納庫２における左側に配置する構成とすることも可能である。この場合、左側に位置する単位収納庫２では、接続ユニット３０は左側の側板１３に設けられる。一方、右側に位置する単位収納庫２では、接続ユニット３０は左側の内側板１３ｉに設けられる。
【００３７】
接続ユニット３０は、板金を折り曲げて形成した中空形状のケース部３１と、ケース部３１に固定される接続部であるコンセント３２とで構成される。コンセント３２は図示しないねじによりケース部３１に固定される。図４に示す如く、コンセント３２からは配線３３が延出される。
【００３８】
本実施形態において、接続ユニット３０の接続部は電源供給用のコンセント３２として構成されているが、接続部に例えばＵＳＢ端子のコネクタを設けることにより、接続ユニット３０を情報通信用として構成することも可能である。また、接続部にコンセント３２とコネクタの両方を設けることにより、接続ユニット３０を電源供給用及び情報通信用として構成することもできる。
【００３９】
図２に示す如く、ケース部３１は板金を折り曲げて構成した略筒状の部材である。本実施形態において、ケース部３１は長手方向に直交する断面視で略Ｃ字状に形成されているが、ケース部３１として筒状の部材を採用することも可能である。即ち、ケース部３１は内部に空間を有する中空形状であれば良く、その具体的形状は限定されるものではない。
【００４０】
ケース部３１の下端部には係合爪３１ａが折り曲げられて形成されている。また、ケース部３１の短手方向の端部には、コンセント３２が表出する側と反対の部分には、図示しない磁石が接着された折り返し部３１ｂが形成されている。
【００４１】
また、図２に示す如く、単位収納庫２の底板１５における開き扉３の吊元近傍には、単位収納庫２と単位収納庫２の下方に位置する空間（本実施形態においては直下の単位収納庫２の収納空間、以下同じ）とを連通する貫通孔１５ａが開口されている。そして、ケース部３１を内側板１３ｉに固定する際には、貫通孔１５ａに係合爪３１ａを係合させた状態で、磁石を内側板１３ｉに吸着させるのである。このように、ケース部３１は貫通孔１５ａの上側で上下方向に沿って設けられる。
【００４２】
図１から図４に示す如く、単位収納庫２の内部には左右方向に長い長方形状のペントレイ２２が設けられる。ペントレイ２２は本発明に係るトレイの一実施形態である。具体的には、底板１５における開口部側（前側）には、底板１５よりも下方に膨出するペントレイ２２が形成される。より詳細には図２に示す如く、底板１５における開口部側には、単位収納庫２の収納空間Ｓと、単位収納庫２の下方に位置する空間と、を連通する孔部１７が開口されている。そして、図１に示す如く、底面が下方に膨出するペントレイ２２が孔部１７に挿入される。なお、本実施形態においては底板１５とペントレイ２２とを別々に形成して組付ける構成としているが、プレス成型等により底板１５の一部分をペントレイとして形成することも可能である。
【００４３】
上記の如く、本実施形態に係るロッカー１においては、底板１５における開口部側に、底板１５よりも下方に膨出するペントレイ２２を形成する構成としている。これにより、底板１５よりも下側の空間を用いて筆記用具や名刺等の小物を収納することが可能となる。即ち、ロッカー１においては、別途収納ケース等を用いることなく、単位収納庫の内部に小物を適切に保管することができ、書類等を出し入れする際に小物が邪魔になったり、庫外に落下したりすることを防ぐことが可能となる。
【００４４】
また、本実施形態に係るロッカー１においては、底板１５における開口部側に開口した孔部１７にペントレイ２２を挿入する構成としている。これにより、底板１５とペントレイ２２とを別々に製造できるため、ペントレイの種類や形状を変更することが可能となる。
【００４５】
図４及び図７に示す如く、ペントレイ２２の底面は、単位収納庫２の下方に位置する空間の内部に膨出される。また、ペントレイ２２の高さは、前框１６における開口部側の端面の上下幅よりも小さく形成される。これにより、単位収納庫２の下方に位置する空間をペントレイ２２によって有効に活用することが可能となる。具体的には、直下の単位収納庫２の収納空間において、前框１６の後方は前框１６によって死角となるため、使用頻度が低くなる。このため、上側の単位収納庫２からペントレイ２２を挿入し、収納ケースとして利用することにより、使用頻度の低い空間を有効に活用することが可能となる。
【００４６】
なお、本実施形態においては前框１６を設ける構成としているが、前框１６を用いない構成とすることも可能である。この場合、ペントレイ２２の高さは、底板１５における開口部側の端面の上下幅よりも小さく形成されることが好ましい。
【００４７】
図５及び図６に示す如く、ペントレイ２２は仕切り板２２ｄで内部が左右に仕切られている。ペントレイ２２において仕切り板２２ｄはやや右よりに配置されるため、ペントレイ２２の内部において、左側は右側よりも大きくなる。このように、ペントレイ２２は、内部の左側に筆記用具等、右側に名刺等を収容しやすくなるように構成されている。ペントレイ２２内部の右側には突条部２２ｅが形成されることにより、名刺等を部分的に浮かせることで取り出しやすくなるように構成される。このように、ペントレイ２２は中心点で非対称形状に（１８０度回転させた場合は配置形状が変化するように）形成されている。
【００４８】
図５から図７に示す如く、孔部１７の周縁部には複数の固定孔１７ａ及び挿入孔１７ｂが開口されている。詳細には、孔部１７の前側周縁部には、四箇所の固定孔１７ａと三箇所の挿入孔１７ｂが形成されている。また、孔部１７の後側周縁部には、四箇所の固定孔１７ａと一箇所の挿入孔１７ｂが形成されている。さらに、孔部１７の左右両側の周縁部には被固定部１７ｃが形成されている。
【００４９】
一方、ペントレイ２２の周囲には、ペントレイ２２を孔部１７に挿入して底板１５に組付けるために、複数の固定爪２２ａ及び突起部２２ｂが形成されている。詳細には、ペントレイ２２の前部には、四箇所の固定爪２２ａと三箇所の突起部２２ｂが形成されている。また、ペントレイ２２の後部には、四箇所の固定爪２２ａと一箇所の突起部２２ｂが形成されている。さらに、ペントレイ２２の左右両側には固定片２２ｃが形成されている。
【００５０】
ペントレイ２２を孔部１７に固定する際には、図７（ａ）に示す如く固定爪２２ａを固定孔１７ａに係合させる。その際、図７（ｂ）に示す如く突起部２２ｂを挿入孔１７ｂに挿入するのである。また、固定片２２ｃを被固定部１７ｃに係合させる。
【００５１】
ペントレイ２２を上記の如く孔部１７に固定することにより、ペントレイ２２は底板１５に対して着脱不能とされる。即ち、ペントレイ２２は孔部１７に嵌め殺しにより固定されており、容易に取り外すことができないように構成されている。即ち、使用者がペントレイ２２を取り外して上下に重なる他の単位収納庫２の内部を視認することができないように構成されている。換言すれば、ロッカー１においてはペントレイ２２を着脱不能とすることにより、単位収納庫２の機密性を高める構成としている。
【００５２】
上記の如く、ペントレイ２２を孔部１７に挿入する際には、複数の突起部２２ｂが挿入孔１７ｂに挿入される。本実施形態において、ペントレイ２２の前部には三箇所、後部には一箇所の突起部２２ｂが形成されており、孔部１７の周縁には突起部２２ｂの個数に対応する挿入孔１７ｂが形成されている。このため、ペントレイ２２は１８０度回転させた状態では孔部１７に挿入することはできない。即ち、ペントレイ２２、孔部１７に対して所定の姿勢でのみ挿入可能とされている。これにより、ペントレイ２２の姿勢を間違えて（１８０度回転させた状態で）孔部１７に固定することを防止している。
【００５３】
なお、ペントレイ２２の位置合わせの手法に関しては、上記の如く突起部２２ｂと挿入孔１７ｂとの個数を前後で変更する以外にも、前後又は左右の形状を変化する等、他の手法を用いることが可能である。即ち、孔部１７に対してペントレイ２２が所定の姿勢でのみ挿入可能とされる構成であれば、他の手法を採用しても差し支えない。
【００５４】
また、本実施形態に係るロッカー１において、単位収納庫２の内部には棚部材２１が収容され、ペントレイ２２は棚部材２１よりも開口部の側である前側に設けられる。これにより、図３及び図４に示す如くペントレイ２２の上方の空間に棚部材２１が配置されないため、ペントレイ２２に棚部材２１よりも高い物を収容することができる。即ち、ペントレイ２２の使用方法の自由度を高めることが可能となる。
【００５５】
また、本実施形態に係るロッカー１においては図４に示す如く、開き扉３を閉塞した際には、扉トレイ２３の一部はペントレイ２２の上方の空間に配置される。これにより、ペントレイ２２の上方の空間を収納スペースとして有効に活用することが可能となる。
【符号の説明】
【００５６】
１    ロッカー（収納家具）         ２    単位収納庫             
３    開き扉                       ３ａ  貫通溝                 
４    ヒンジ                       ４ａ  ヒンジ本体             
４ｂ  固定板                       ５    ロック部材             
６    ラッチ                       ７    ラッチ受部材           
１１    天板                       １２    ベース部材             
１３    側板                       １３ｉ  内側板                 
１４    背板                       １５    底板                   
１５ａ  貫通孔                     １５ｂ  係合孔                 
１６    前框                       １７    孔部                   
１７ａ  固定孔                     １７ｂ  挿入孔                 
１７ｃ  被固定部                   ２１    棚部材                 
２１ａ  棚板部                     ２１ｂ  脚部                   
２２    ペントレイ                 ２２ａ  固定爪                 
２２ｂ  突起部                     ２２ｃ  固定片                 
２２ｄ  仕切り板                   ２２ｅ  突条部                 
２３    扉トレイ                   ３０    接続ユニット           
３１    ケース部                   ３１ａ  係合爪                 
３２    コンセント                 ３３    配線                   
Ｓ    収納空間               
【図１】
2020081731.tif 000003
【図２】
2020081731.tif 000004
【図３】
2020081731.tif 000005
【図４】
2020081731.tif 000006
【図５】
2020081731.tif 000007
【図６】
2020081731.tif 000008
【図７】
2020081731.tif 000009